(57)【特許請求の範囲】
【請求項１】
建材内に設けられて、室内に連通する下部除湿空気取入開口と開閉可能な上部除湿空気吹出開口とを有する除湿空気流路と、
建材内に設けられて、室内に連通する下部加湿空気取入開口と開閉可能な上部加湿空気吹出開口とを有する加湿空気流路と、
前記除湿空気流路と前記加湿空気流路とを区画し、前記除湿空気流路の空気中の水素分子をその片側の除湿側面から反対の加湿側面へ移動させて前記加湿空気流路の空気中に送る固体高分子電解モジュールと、
前記除湿空気流路と前記加湿空気流路とに連通する開閉可能な排出開口を有する空気排出ダクトとを備え、
前記固体高分子電解モジュールにより前記除湿空気流路と前記加湿空気流路が交互にかつ短冊形に並べて室内側に沿って複数配置され、
前記空気排出ダクトは、前記除湿空気流路と前記加湿空気流路の上方に配置され、
除湿時に、
前記上部除湿空気吹出開口を開き、前記除湿空気流路と連通する前記排出開口を閉じ、
前記上部加湿空気吹出開口を閉じ、前記加湿空気流路と連通する前記排出開口を開き、
加湿時に、
前記上部除湿空気吹出開口を閉じ、前記除湿空気流路と連通する前記排出開口を開き、
前記上部加湿空気吹出開口を開き、前記加湿空気流路と連通する前記排出開口を閉じ、
除湿時と加湿時とで、
前記除湿空気流路と前記加湿空気流路との切替を行うことを特徴とする調湿システム。
【請求項２】
建材内に設けられて、室内に連通する開閉可能な下部除湿空気取入開口と開閉可能な上部除湿空気吹出開口とを有する除湿空気流路と、
建材内に設けられて、室内に連通する開閉可能な下部加湿空気取入開口と開閉可能な上部加湿空気吹出開口とを有する加湿空気流路と、
前記除湿空気流路と前記加湿空気流路とを区画し、前記除湿空気流路の空気中の水素分子をその片側の除湿側面から反対の加湿側面へ移動させて前記加湿空気流路の空気中に送る固体高分子電解モジュールと、
前記除湿空気流路と前記加湿空気流路とに連通する開閉可能な排出開口を有する空気排出ダクトと、
前記除湿空気流路と前記加湿空気流路とに連通する開閉可能な供給開口を有する空気供給ダクトとを備え、
前記固体高分子電解モジュールにより前記除湿空気流路と前記加湿空気流路が交互にかつ短冊形に並べて室内側に沿って複数配置され、
前記空気排出ダクトは、前記除湿空気流路と前記加湿空気流路の上方に配置され、
前記空気供給ダクトは、前記除湿空気流路と前記加湿空気流路の下方に配置され、
除湿時に、
前記下部除湿空気取入開口を開き、前記上部除湿空気吹出開口を開き、前記除湿空気流路と連通する前記供給開口を閉じ、前記除湿空気流路と連通する前記排出開口を閉じ、
前記下部加湿空気取入開口を閉じ、前記上部加湿空気吹出開口を閉じ、前記加湿空気流路と連通する前記供給開口を開き、前記加湿空気流路と連通する前記排出開口を開き、
加湿時に、
前記下部除湿空気取入開口を閉じ、前記上部除湿空気吹出開口を閉じ、前記除湿空気流路と連通する前記供給開口を開き、前記除湿空気流路と連通する前記排出開口を開き、
前記下部加湿空気取入開口を開き、前記上部加湿空気吹出開口を開き、前記加湿空気流路と連通する前記供給開口を閉じ、前記加湿空気流路と連通する前記排出開口を閉じ、
除湿時と加湿時とで、
前記除湿空気流路と前記加湿空気流路との切替を行うことを特徴とする調湿システム。
【請求項３】
建材内に設けられて、室内に連通する開閉可能な下部除湿空気取入開口と開閉可能な上部除湿空気吹出開口とを有する除湿空気流路と、
建材内に設けられて、室内に連通する開閉可能な下部加湿空気取入開口と開閉可能な上部加湿空気吹出開口とを有する加湿空気流路と、
前記除湿空気流路と前記加湿空気流路とを区画し、前記除湿空気流路の空気中の水素分子をその片側の除湿側面から反対の加湿側面へ移動させて前記加湿空気流路の空気中に送る固体高分子電解モジュールと、
前記除湿空気流路と前記加湿空気流路とに連通する開閉可能な排出開口を有する空気排出ダクトと、
前記除湿空気流路と前記加湿空気流路とに連通する開閉可能な供給開口を有する空気供給ダクトとを備え、
前記固体高分子電解モジュールにより前記除湿空気流路と前記加湿空気流路が交互にかつ短冊形に並べて室内側に沿って複数配置され、
前記空気排出ダクトは、前記除湿空気流路と前記加湿空気流路の上方に配置され、
前記空気供給ダクトは、前記除湿空気流路と前記加湿空気流路の下方に配置され、
除湿時に、
前記下部除湿空気取入開口を閉じ、前記上部除湿空気吹出開口を開き、前記除湿空気流路と連通する前記供給開口を開き、前記除湿空気流路と連通する前記排出開口を閉じ、
前記下部加湿空気取入開口を開き、前記上部加湿空気吹出開口を閉じ、前記加湿空気流路と連通する前記供給開口を閉じ、前記加湿空気流路と連通する前記排出開口を開き、
加湿時に、
前記下部除湿空気取入開口を開き、前記上部除湿空気吹出開口を閉じ、前記除湿空気流路と連通する前記供給開口を閉じ、前記除湿空気流路と連通する前記排出開口を開き、
前記下部加湿空気取入開口を閉じ、前記上部加湿空気吹出開口を開き、前記加湿空気流路と連通する前記供給開口を開き、前記加湿空気流路と連通する前記排出開口を閉じ、
除湿時と加湿時とで、
前記除湿空気流路と前記加湿空気流路との切替を行うことを特徴とする調湿システム。
【請求項４】
建材内に設けられて、室内と連通する下部空気取入開口を有する空気流路と、
前記空気流路と前記室内とを区画し、かつ前記空気流路と前記室内とに反転可能であり、空気中の水素分子をその片側の除湿側面から反対の加湿側面へ移動させる固体高分子電解モジュールと、
前記空気流路と連通する排出開口を有する空気排出ダクトとを備え、
前記固体高分子電解モジュールは、端部を重ねて室の壁面を構成するように複数配置され、
除湿時に、
前記固体高分子電解モジュールを、前記室内の空気中の水素分子を前記空気流路の空気中へ移動させるようにし、
加湿時に、
前記固体高分子電解モジュールを、前記空気流路の空気中の水素分子を前記室内の空気中へ移動させるようにし、
除湿時と加湿時とで、
前記固体高分子電解モジュールの反転を行うことを特徴とする調湿システム。
【請求項５】
建材内に設けられて、室内と区画された空気流路と、
前記空気流路と前記室内とを区画し、かつ前記空気流路と前記室内とに反転可能であり、空気中の水素分子をその片側の除湿側面から反対の加湿側面へ移動させる固体高分子電解モジュールと、
前記空気流路と連通する排出開口を有する空気排出ダクトと、
前記空気流路と連通する供給開口を有する空気供給ダクトとを備え、
前記固体高分子電解モジュールは、端部を重ねて室の壁面を構成するように複数配置され、
除湿時に、
前記固体高分子電解モジュールを、前記室内の空気中の水素分子を前記空気流路の空気中へ移動させるようにし、
加湿時に、
前記固体高分子電解モジュールを、前記空気流路の空気中の水素分子を前記室内の空気中へ移動させるようにし、
除湿時と加湿時とで、
前記固体高分子電解モジュールの反転を行うことを特徴とする調湿システム。
【請求項６】
請求項１乃至請求項５に記載のいずれかの調湿システムを、建材に組み込んだことを特徴とする調湿建材。
【発明の詳細な説明】
【技術分野】
【０００１】
この発明は、戸建、集合住宅を問わずに適用される調湿システム及び調湿建材に関する。
【背景技術】
【０００２】
従来から戸建、集合住宅などでは、室内の温湿度調整を行うものとして、例えば自己反応性素材の積層建築間仕切として、天然の植物繊維に形状記憶素子を組合わせた素材をリブ付きボードに成型し積層に重ね合せ自立型の間仕切を構成するものが提案され（特許文献１）、このものは自己反応による温湿度調整を行う。
【０００３】
また、調湿性能を有する壁材などとして、ゼオライトや珪藻土などの多孔質材料を用いるものがある。これらの材料による調湿は、空気の相対温度が高くなる微細な孔に水蒸気を蓄え、相対温度が低くなると蓄えていた水蒸気を放出することによってなされる。
【特許文献１】特開２０００−３１０００４
【発明の開示】
【発明が解決しようとする課題】
【０００４】
ところで、特許文献１のものでは、積層建築間仕切であり、特別の配置スペースは不要であるが天然の植物繊維の自己反応による温湿度調整であり、十分な湿度調整を行うことができない。
【０００５】
さらに、ゼオライトや珪藻土などの多孔質材料を用いた吸放湿材は、吸放湿を行う能力は室容積に対する吸放湿材の厚さや面積によって異なる。また、吸放湿材の吸湿が許容量を超えた場合、吸湿機構がなくなるため、長期的な多湿状況下での調湿は困難になる。逆に低湿状況が長期に亘る場合は、放湿可能な保湿量がなくなった後の放湿が困難になり、調湿機能が期待できない。すなわち、吸放湿材による調湿は、材料が吸放湿を行う相対湿度付近での調湿であることや、吸放湿材の総量によって可能な吸放湿量に制約があるため、長期間的な低湿または高湿条件での継続的な調湿機能は期待できない欠点がある。さらに、室内の相対湿度は吸放湿材の吸放湿を行う湿度に依存するため、居住者側での湿度調整が不可能である。
【０００６】
この発明は、かかる実情に鑑みなされたもので、別途の除湿装置あるいは加湿装置を室内に持ち込むことなく、室内の湿度制御を可能にする調湿システム及び調湿建材を提供することを目的としている。
【課題を解決するための手段】
【０００７】
前記課題を解決し、かつ目的を達成するために、この発明は、以下のように構成した。
【０００８】
請求項１に記載の発明は、建材内に設けられて、室内に連通する下部除湿空気取入開口と開閉可能な上部除湿空気吹出開口とを有する除湿空気流路と、
建材内に設けられて、室内に連通する下部加湿空気取入開口と開閉可能な上部加湿空気吹出開口とを有する加湿空気流路と、
前記除湿空気流路と前記加湿空気流路とを区画し、前記除湿空気流路の空気中の水素分子をその片側の除湿側面から反対の加湿側面へ移動させて前記加湿空気流路の空気中に送る固体高分子電解モジュールと、
前記除湿空気流路と前記加湿空気流路とに連通する開閉可能な排出開口を有する空気排出ダクトとを備え、
前記固体高分子電解モジュールにより前記除湿空気流路と前記加湿空気流路が交互にかつ短冊形に並べて室内側に沿って複数配置され、
前記空気排出ダクトは、前記除湿空気流路と前記加湿空気流路の上方に配置され、
除湿時に、
前記上部除湿空気吹出開口を開き、前記除湿空気流路と連通する前記排出開口を閉じ、
前記上部加湿空気吹出開口を閉じ、前記加湿空気流路と連通する前記排出開口を開き、
加湿時に、
前記上部除湿空気吹出開口を閉じ、前記除湿空気流路と連通する前記排出開口を開き、
前記上部加湿空気吹出開口を開き、前記加湿空気流路と連通する前記排出開口を閉じ、
除湿時と加湿時とで、
前記除湿空気流路と前記加湿空気流路との切替を行うことを特徴とする調湿システムである。
【０００９】
請求項２に記載の発明は、建材内に設けられて、室内に連通する開閉可能な下部除湿空気取入開口と開閉可能な上部除湿空気吹出開口とを有する除湿空気流路と、
建材内に設けられて、室内に連通する開閉可能な下部加湿空気取入開口と開閉可能な上部加湿空気吹出開口とを有する加湿空気流路と、
前記除湿空気流路と前記加湿空気流路とを区画し、前記除湿空気流路の空気中の水素分子をその片側の除湿側面から反対の加湿側面へ移動させて前記加湿空気流路の空気中に送る固体高分子電解モジュールと、
前記除湿空気流路と前記加湿空気流路とに連通する開閉可能な排出開口を有する空気排出ダクトと、
前記除湿空気流路と前記加湿空気流路とに連通する開閉可能な供給開口を有する空気供給ダクトとを備え、
前記固体高分子電解モジュールにより前記除湿空気流路と前記加湿空気流路が交互にかつ短冊形に並べて室内側に沿って複数配置され、
前記空気排出ダクトは、前記除湿空気流路と前記加湿空気流路の上方に配置され、
前記空気供給ダクトは、前記除湿空気流路と前記加湿空気流路の下方に配置され、
除湿時に、
前記下部除湿空気取入開口を開き、前記上部除湿空気吹出開口を開き、前記除湿空気流路と連通する前記供給開口を閉じ、前記除湿空気流路と連通する前記排出開口を閉じ、
前記下部加湿空気取入開口を閉じ、前記上部加湿空気吹出開口を閉じ、前記加湿空気流路と連通する前記供給開口を開き、前記加湿空気流路と連通する前記排出開口を開き、
加湿時に、
前記下部除湿空気取入開口を閉じ、前記上部除湿空気吹出開口を閉じ、前記除湿空気流路と連通する前記供給開口を開き、前記除湿空気流路と連通する前記排出開口を開き、
前記下部加湿空気取入開口を開き、前記上部加湿空気吹出開口を開き、前記加湿空気流路と連通する前記供給開口を閉じ、前記加湿空気流路と連通する前記排出開口を閉じ、
除湿時と加湿時とで、
前記除湿空気流路と前記加湿空気流路との切替を行うことを特徴とする調湿システムである。
【００１０】
請求項３に記載の発明は、建材内に設けられて、室内に連通する開閉可能な下部除湿空気取入開口と開閉可能な上部除湿空気吹出開口とを有する除湿空気流路と、
建材内に設けられて、室内に連通する開閉可能な下部加湿空気取入開口と開閉可能な上部加湿空気吹出開口とを有する加湿空気流路と、
前記除湿空気流路と前記加湿空気流路とを区画し、前記除湿空気流路の空気中の水素分子をその片側の除湿側面から反対の加湿側面へ移動させて前記加湿空気流路の空気中に送る固体高分子電解モジュールと、
前記除湿空気流路と前記加湿空気流路とに連通する開閉可能な排出開口を有する空気排出ダクトと、
前記除湿空気流路と前記加湿空気流路とに連通する開閉可能な供給開口を有する空気供給ダクトとを備え、
前記固体高分子電解モジュールにより前記除湿空気流路と前記加湿空気流路が交互にかつ短冊形に並べて室内側に沿って複数配置され、
前記空気排出ダクトは、前記除湿空気流路と前記加湿空気流路の上方に配置され、
前記空気供給ダクトは、前記除湿空気流路と前記加湿空気流路の下方に配置され、
除湿時に、
前記下部除湿空気取入開口を閉じ、前記上部除湿空気吹出開口を開き、前記除湿空気流路と連通する前記供給開口を開き、前記除湿空気流路と連通する前記排出開口を閉じ、
前記下部加湿空気取入開口を開き、前記上部加湿空気吹出開口を閉じ、前記加湿空気流路と連通する前記供給開口を閉じ、前記加湿空気流路と連通する前記排出開口を開き、
加湿時に、
前記下部除湿空気取入開口を開き、前記上部除湿空気吹出開口を閉じ、前記除湿空気流路と連通する前記供給開口を閉じ、前記除湿空気流路と連通する前記排出開口を開き、
前記下部加湿空気取入開口を閉じ、前記上部加湿空気吹出開口を開き、前記加湿空気流路と連通する前記供給開口を開き、前記加湿空気流路と連通する前記排出開口を閉じ、
除湿時と加湿時とで、
前記除湿空気流路と前記加湿空気流路との切替を行うことを特徴とする調湿システムである。
【００１１】
請求項４に記載の発明は、建材内に設けられて、室内と連通する下部空気取入開口を有する空気流路と、
前記空気流路と前記室内とを区画し、かつ前記空気流路と前記室内とに反転可能であり、空気中の水素分子をその片側の除湿側面から反対の加湿側面へ移動させる固体高分子電解モジュールと、
前記空気流路と連通する排出開口を有する空気排出ダクトとを備え、
前記固体高分子電解モジュールは、端部を重ねて室の壁面を構成するように複数配置され、
除湿時に、
前記固体高分子電解モジュールを、前記室内の空気中の水素分子を前記空気流路の空気中へ移動させるようにし、
加湿時に、
前記固体高分子電解モジュールを、前記空気流路の空気中の水素分子を前記室内の空気中へ移動させるようにし、
除湿時と加湿時とで、
前記固体高分子電解モジュールの反転を行うことを特徴とする調湿システムである。
【００１２】
請求項５に記載の発明は、建材内に設けられて、室内と区画された空気流路と、
前記空気流路と前記室内とを区画し、かつ前記空気流路と前記室内とに反転可能であり、空気中の水素分子をその片側の除湿側面から反対の加湿側面へ移動させる固体高分子電解モジュールと、
前記空気流路と連通する排出開口を有する空気排出ダクトと、
前記空気流路と連通する供給開口を有する空気供給ダクトとを備え、
前記固体高分子電解モジュールは、端部を重ねて室の壁面を構成するように複数配置され、
除湿時に、
前記固体高分子電解モジュールを、前記室内の空気中の水素分子を前記空気流路の空気中へ移動させるようにし、
加湿時に、
前記固体高分子電解モジュールを、前記空気流路の空気中の水素分子を前記室内の空気中へ移動させるようにし、
除湿時と加湿時とで、
前記固体高分子電解モジュールの反転を行うことを特徴とする調湿システムである。
【００１３】
請求項６に記載の発明は、請求項１乃至請求項５に記載のいずれかの調湿システムを、建材に組み込んだことを特徴とする調湿建材である。
【発明の効果】
【００１４】
前記構成により、この発明は、以下のような効果を有する。
【００１５】
請求項１に記載の発明では、建材内に、除湿空気流路、加湿空気流路、固体高分子電解モジュール、空気排出ダクトとを備え、除湿時に、上部除湿空気吹出開口を開き、除湿空気流路と連通する排出開口を閉じ、上部加湿空気吹出開口を閉じ、加湿空気流路と連通する排出開口を開き運転し、加湿時に、上部除湿空気吹出開口を閉じ、除湿空気流路と連通する排出開口を開き、上部加湿空気吹出開口を開き、加湿空気流路と連通する排出開口を閉じて運転することで、別途の除湿装置あるいは加湿装置を室内に持ち込むことなく、室内空気を循環させることによって室内の湿度制御をすることができる。また、室内空気を室外に排出することにより換気機能を併せ持つことができる。
【００１６】
請求項２に記載の発明では、建材内に、除湿空気流路、加湿空気流路、固体高分子電解モジュール、空気排出ダクト、空気供給ダクトとを備え、除湿時に、下部除湿空気取入開口を開き、上部除湿空気吹出開口を開き、除湿空気流路と連通する供給開口を閉じ、除湿空気流路と連通する排出開口を閉じ、下部加湿空気取入開口を閉じ、上部加湿空気吹出開口を閉じ、加湿空気流路と連通する供給開口を開き、加湿空気流路と連通する排出開口を開き運転し、加湿時に、下部除湿空気取入開口を閉じ、上部除湿空気吹出開口を閉じ、除湿空気流路と連通する供給開口を開き、除湿空気流路と連通する排出開口を開き、下部加湿空気取入開口を開き、上部加湿空気吹出開口を開き、加湿空気流路と連通する供給開口を閉じ、加湿空気流路と連通する排出開口を閉じて運転することで、別途の除湿装置あるいは加湿装置を室内に持ち込むことなく、室内空気を循環させることによって室内の湿度制御をより効率的にすることができる。
【００１７】
請求項３に記載の発明では、建材内に、除湿空気流路、加湿空気流路、固体高分子電解モジュール、空気排出ダクト、空気供給ダクトとを備え、除湿時に、下部除湿空気取入開口を閉じ、上部除湿空気吹出開口を開き、除湿空気流路と連通する供給開口を開き、除湿空気流路と連通する排出開口を閉じ、下部加湿空気取入開口を開き、上部加湿空気吹出開口を閉じ、加湿空気流路と連通する供給開口を閉じ、加湿空気流路と連通する排出開口を開き運転し、加湿時に、下部除湿空気取入開口を開き、上部除湿空気吹出開口を閉じ、除湿空気流路と連通する供給開口を閉じ、除湿空気流路と連通する排出開口を開き、下部加湿空気取入開口を閉じ、上部加湿空気吹出開口を開き、加湿空気流路と連通する供給開口を開き、加湿空気流路と連通する排出開口を閉じて運転することで、別途の除湿装置あるいは加湿装置を室内に持ち込むことなく、室内の湿度制御をすることができる。また、室内空気を室外に排出することにより換気機能を併せ持つことができる。
【００１８】
請求項４に記載の発明では、建材内に、空気流路、固体高分子電解モジュール、空気排出ダクトとを備え、除湿時に、固体高分子電解モジュールを、室内の空気中の水素分子を空気流路の空気中へ移動させるようにして運転し、加湿時に、固体高分子電解モジュールを、空気流路の空気中の水素分子を室内の空気中へ移動させるようにして運転することで、別途の除湿装置あるいは加湿装置を室内に持ち込むことなく、室内の湿度制御をすることができる。また、室内空気を室外に排出することにより換気機能を併せ持つことができる。
【００１９】
請求項５に記載の発明では、建材内に、空気流路、固体高分子電解モジュール、空気排出ダクト、空気供給ダクトとを備え、除湿時に、固体高分子電解モジュールを、室内の空気中の水素分子を空気流路の空気中へ移動させるようにして運転し、加湿時に、固体高分子電解モジュールを、空気流路の空気中の水素分子を室内の空気中へ移動させるようにして運転することで、別途の除湿装置あるいは加湿装置を室内に持ち込むことなく、室内空気を循環させることによって室内の湿度制御をより効率的にすることができる。
【００２０】
請求項６に記載の発明では、請求項１乃至請求項５に記載のいずれかの調湿システムを、建材に組み込んだ調湿建材であり、この調湿建材により別途の除湿装置あるいは加湿装置を室内に持ち込むことなく、室内の湿度制御をすることができる。
【発明を実施するための最良の形態】
【００２１】
以下、この発明の調湿システム及び調湿建材の実施の形態について説明する。この発明の実施の形態は、発明の最も好ましい形態を示すものであり、この発明はこれに限定されない。
【００２２】
［第１の実施の形態］
図１は、この発明の調湿システム及び調湿建材を戸建、あるいは集合住宅の室１に適用した実施の形態を示す斜視図である。この実施の形態では、調湿建材２により室１の壁９の一部を形成し、略床６から天井５までの長さとなっている。また、調湿建材３により窓４のサッシを形成している。この調湿建材２，３は、調湿システムを建材に組み込んだ構成であり、この調湿システムにより室１の除湿や加湿が行われる。
【００２３】
次に、図２乃至図７に基づいて調湿システムの構成を説明する。図２は調湿システムの除湿運転の状態を示す概略構成図、図３は調湿システムの加湿運転の状態を示す概略構成図、図４は固体高分子電解モジュールの配置を示す平面図、図５は固体高分子電解モジュールを示す概略構成図、図６は固体高分子電解モジュールの概略配線図、図７は除湿空気流路と加湿空気流路の切替を説明する図である。
【００２４】
この実施の形態の調湿システムは、間柱１０，１１の間に建材である壁面材１２，１３が所定間隔隔てて配置され、この壁面材１２，１３の両側に横壁面材１４，１５が設けられ、また壁面材１２，１３の上下側には下壁面材１６及び上壁面材１７が設けられ、上壁面材１７の内側に上通路壁面材１９が設けられ、湿気を透過しない素材で構成された箱状の建材内に組み込んだ調湿建材である。
【００２５】
この壁面材１２，１３と、下壁面材１６及び上通路壁面材１９に囲まれる全部、あるいは一部の間に固体高分子電解モジュール２０を所定間隔隔てて配置して設けられる。例えば、図６に示すように、板材５０の上下方向に所定間隔の間をおいて開口部５０ａを複数並べて形成し、このそれぞれの開口部５０ａに固体高分子電解モジュール２０をシール部材などを介して嵌め込み、固体高分子電解モジュール２０の周囲が開口部５０ａに隙間なく支持され、固体高分子電解モジュール２０の両側の表面が空気と触れるようになっている。固体高分子電解モジュール２０は、所定の大きさの板状であり、その両側の表面が空気と触れるようになっていれば、板材５０に支持される構造は特に限定されず、例えば複数列に多数並べて配置しても良い。この板材５０に支持された固体高分子電解モジュール２０は、図４（ａ）に示すように、平行に配置しても良く、図４（ｂ）に示すように、斜めに配置しても良い。この固体高分子電解モジュール２０の配置によって、固体高分子電解モジュール２０間に除湿空気流路３０と加湿空気流路４０とが交互に形成される。
【００２６】
すなわち、固体高分子電解モジュール２０は、除湿空気流路３０の空気中の水素分子をその片側の除湿側面から反対の加湿側面へ移動させて加湿空気流路４０の空気中に送るように、除湿側面、あるいは加湿側面を向かい合わせて配置されている。
【００２７】
次に、固体高分子電解モジュール２０の構成を説明する。この固体高分子電解モジュール２０は、図５及び図６に示すように、水素イオン導電性の固体高分子電解質膜２１からなる陽イオン交換膜の各面にそれぞれ多孔性陰極２２を接合し、多孔性陽極２３を接合することにより構成している。除湿空気流路３０と加湿空気流路４０に供給された空気中の水蒸気が固体高分子電解質膜２１に吸収される。この状態で、多孔性陰極２２と多孔性陽極２３の両端子板２２ａ，２３ａ間に直流電源２４から直流電圧を印加すると、多孔性陰極２２で酸素の電解還元反応が起こり、多孔性陽極２３で酸素の発生反応が起こると共に多孔性陰極２２の背面から水が漏出してくる。多孔性陰極２２で脱酸素された余剰ガスが空気中に放出される。また、多孔性陽極２３から発生する酸素は余剰空気と共に空気中に放出される。
【００２８】
次に、固体高分子電解質膜２１に多孔性陰極２２と多孔性陽極２３とを接合した固体高分子電解モジュール２０の動作原理について説明する。図５において、多孔性陰極２２と多孔性陽極２３間に直流電源２４から直流電圧を印加すると、多孔性陽極２３では水が分解されて式（１）の反応により除湿空気流路３０内の湿度が低下する。
【００２９】
２Ｈ２Ｏ→Ｏ２＋４Ｈ＋＋４ｅ−  ・・・・式（１）
このとき、多孔性陽極２３に発生した水素イオン（Ｈ＋）  は固体高分子電解質膜２１を通って多孔性陰極２２に達する。また、電子（ｅ−）  は直流電源２４を備える直流電源回路を通って多孔性陰極２２に達する。そして、多孔性陰極２２では式（２）により酸素を消費して水を発生する。
Ｏ２＋４Ｈ＋＋４ｅ−→２Ｈ２Ｏ・・・式  （２）
さらに、水素イオン（Ｈ＋）  と共に平均３分子程度の水が多孔性陽極２３から多孔性陰極２２へ移動する。従って、多孔性陰極２２では式（２）の反応により除湿空気流路３０内の水蒸気から水を生成すると共に、多孔性陽極２３から多孔性陰極２２へ水が電気泳動によって移動するので、除湿空気流路３０内の湿度が低下する。
【００３０】
この固体高分子電解モジュール２０の配線は、図６に示すように、天井内などへ配線して直流電源２４へ接続され、スイッチコントローラ２６の操作で運転される。直流電源２４は、室１内に配線される交流の商用電源を変換して得られる。また、スイッチコントローラ２６は室１内の壁など配置され、スイッチコントローラ２６には、電源スイッチＳＷ１、除湿運転および加湿運転の強弱を行う調節スイッチＳＷ２が設けられている。電源スイッチＳＷ１で運転の電源のオン、オフが行われ、運転強弱スイッチＳＷ２で除湿運転および加湿運転の強弱調節が行われ、居住者の要求に合わせた湿度制御が可能になる。なお、この実施の形態では、除湿運転と加湿運転の切替は手動操作で行っているが、切替運転スイッチを設けて自動で切り替えるようにしてもよい。
【００３１】
次に、除湿空気流路３０と加湿空気流路４０の切替を、図２、図３及び図７に基づいて説明する。
【００３２】
この実施の形態では、除湿空気流路３０と加湿空気流路４０がそれぞれ複数設けられている。それぞれの除湿空気流路３０は、室１内に連通する下部除湿空気取入開口３１と開閉可能な上部除湿空気吹出開口３２とを有する。下部除湿空気取入開口３１は、室１の床６側に設けられ、上部除湿空気吹出開口３２は天井５側に設けられ、除湿空気流路３０は上下方向に延びて略床６から天井５までの長さとなっているが、この長さは室１の大きさ等によって異なり、長さを限定するものではない。
【００３３】
それぞれの加湿空気流路４０は、室１内に連通する下部加湿空気取入開口４１と開閉可能な上部加湿空気吹出開口４２とを有する。下部加湿空気取入開口４１は、室１の床６側に設けられ、上部加湿空気吹出開口４２は天井５側に設けられ、加湿空気流路４０は上下方向に延びて略床６から天井５までの長さとなっているが、この長さは室１の大きさ等によって異なり、長さを限定するものではない。
【００３４】
例えば、図６に示すように、板材５０の上下方向に所定間隔で並べて形成された開口部５０ａに嵌め込み周囲が隙間なく支持された固体高分子電解モジュール２０が、除湿空気流路３０と加湿空気流路４０とを区画し、除湿空気流路３０の空気中の水素分子をその片側の除湿側面から反対の加湿側面へ移動させて加湿空気流路４０の空気中に送る。
【００３５】
除湿空気流路３０と加湿空気流路４０の上方位置には、外部と連通する空気排出ダクト６０が上壁面材１７の内側に上通路壁面材１９によって区画して設けられ、この空気排出ダクト６０は除湿空気流路３０と連通する開閉可能な排出開口６１を有し、また加湿空気流路４０と連通する開閉可能な排出開口６２を有する。また、空気排出ダクト６０には、例えば換気ファン等が接続される。
【００３６】
この除湿空気流路３０の上部除湿空気吹出開口３２及び加湿空気流路４０の上部加湿空気吹出開口４２の開閉と、空気排出ダクト６０の排出開口６１及び排出開口６２の開閉は、図７に示すように上部スライドパネル７０によって行われる。すなわち、上部スライドパネル７０は壁面材１２に横方向にスライド可能になっており、この上部スライドパネル７０には開口７１と開口７２が形成されている。上部スライドパネル７０がスライドして、開口７１が上部加湿空気吹出開口４２を開くとき、開口７２が排出開口６１を開き、開口７１が上部除湿空気吹出開口３２を開くとき、開口７２が排出開口６２を開くようになっている。この上部スライドパネル７０のスライド操作は、手動で行うが、モータなどの駆動で自動で行うようにしてもよい。
【００３７】
次に、調湿システムの除湿運転を、図２に基づいて説明する。図６に示すスイッチコントローラ２６の電源スイッチＳＷ１をオンし、運転強弱スイッチＳＷ２を操作することで、除湿運転の強弱を調節する。
【００３８】
この除湿運転では、上部スライドパネル７０を操作して除湿空気流路３０の上部除湿空気吹出開口３２を開き、除湿空気流路３０と連通する排出開口６１を閉じる。一方、加湿空気流路４０の上部加湿空気吹出開口４２を閉じ、加湿空気流路４０と連通する排出開口６２を開き運転する。
【００３９】
これにより、除湿空気流路３０の下部除湿空気取入開口３１から室１内の空気が壁内の除湿空気流路３０に入り、上部除湿空気吹出開口３２から室１内に戻る。一方、加湿空気流路４０の下部加湿空気取入開口４１から室１内の空気が壁内の加湿空気流路４０に入り、
排出開口６２から空気排出ダクト６０によって室１外に排出される。
【００４０】
この除湿空気流路３０と加湿空気流路４０を空気が流れるときに、固体高分子電解モジュール２０が除湿空気流路３０の空気中の水素分子をその片側面、すなわち多孔性陽極２３側の除湿側面から反対側面、すなわち多孔性陰極２２側の加湿側面へ移動させて加湿空気流路４０の空気中に送ることで、除湿空気流路３０を通る空気が除湿され、加湿空気流路４０を通る空気が加湿され、加湿された空気は排出開口６２から空気排出ダクト６０によって室１外に排出され、除湿された空気は上部除湿空気吹出開口３２から室１内に戻り、室１内の空気が除湿される。
【００４１】
次に、調湿システムの加湿運転を、図３に基づいて説明する。図６に示すスイッチコントローラ２６の電源スイッチＳＷ１をオンし、運転強弱スイッチＳＷ２を操作することで、加湿運転の強弱を調節する。
【００４２】
この加湿運転では、上部スライドパネル７０を操作して除湿空気流路３０の上部除湿空気吹出開口３２を閉じ、除湿空気流路３０と連通する排出開口６１を開く。一方、加湿空気流路４０の上部加湿空気吹出開口４２を開き、加湿空気流路４０と連通する排出開口６２を閉じて運転する。
【００４３】
これにより、除湿空気流路３０の下部除湿空気取入開口３１から室１内の空気が壁内の除湿空気流路３０に入り、排出開口６１から空気排出ダクト６０によって室１外に排出される。一方、加湿空気流路４０の下部加湿空気取入開口４１から室１内の空気が壁内の加湿空気流路４０に入り、上部加湿空気吹出開口４２から室１内に戻る。
【００４４】
この除湿空気流路３０と加湿空気流路４０を空気が流れるときに、固体高分子電解モジュール２０が除湿空気流路３０の空気中の水素分子をその片側面、すなわち多孔性陽極２３側の除湿側面から反対側面、すなわち多孔性陰極２２側の加湿側面へ移動させて加湿空気流路４０の空気中に送ることで、除湿空気流路３０を通る空気が除湿され、加湿空気流路４０を通る空気が加湿され、除湿された空気は排出開口６１から空気排出ダクト６０によって室１外に排出され、加湿された空気は上部加湿空気吹出開口４２から室１内に戻り、室１内の空気が加湿される。
【００４５】
このように、この実施の形態の調湿システムでは、別途の除湿装置あるいは加湿装置を室１内に持ち込むことなく、室１内の湿度制御をすることができる。また、固体高分子電解モジュール２０の除湿、加湿の能力は、運転強弱スイッチＳＷ２を操作して固体高分子電解質膜２１にかける電圧により制御される。また、除湿空気流路３０と加湿空気流路４０内の空気は、固体高分子電解モジュール２０のからの若干の発熱により上昇気流となり、除湿空気流路３０の上部除湿空気吹出開口３２または加湿空気流路４０の上部加湿空気吹出開口４２から自然に室１内に流入する。
【００４６】
また、戸建、集合住宅などでは、調湿システムを、壁を構成する建材に組み込んだ調湿建材を用いることで、この調湿建材により別途の除湿装置あるいは加湿装置を室内に持ち込むことなく、室内の湿度制御をすることができる。また、室内空気を室外に排出することにより換気機能を併せ持つことができる。
【００４７】
［第２の実施の形態］
この実施の形態の第１の実施の形態と同じ構成は、同じ符号を付して説明を省略する。図８は調湿システムの除湿運転の状態を示す概略構成図、図９は調湿システムの加湿運転の状態を示す概略構成図、図１０は除湿空気流路と加湿空気流路の切替を説明する図である。
【００４８】
この実施の形態の除湿空気流路３０は、開閉可能な下部除湿空気取入開口３１と開閉可能な上部除湿空気吹出開口３２とを有する。加湿空気流路４０は、開閉可能な下部加湿空気取入開口４１と開閉可能な上部加湿空気吹出開口４２とを有する。
【００４９】
また、この実施の形態では、除湿空気流路３０と加湿空気流路４０の下方位置には、外部と連通する空気供給ダクト８０が下壁面材１６の内側に下通路壁面材１８によって区画して設けられ、この空気供給ダクト８０は、除湿空気流路３０と連通する開閉可能な供給開口８１と、加湿空気流路４０と連通する開閉可能な供給開口８２を有する。
【００５０】
この下部除湿空気取入開口３１と供給開口８１の開閉、上部除湿空気吹出開口３２と供給開口８２の開閉は、図７に示す上部スライドパネル７０と同様に構成された下部スライドパネル７５で行われる。すなわち、図１０に示すように、下部スライドパネル７５には開口７６と開口７７が形成されている。下部スライドパネル７５がスライドして、開口７６が下部除湿空気吹出開口３１を開くとき、開口７７が供給開口８２を開き、開口７６が下部加湿空気吹出開口４１を開くとき、開口７７が供給開口８１を開くようになっている。
【００５１】
次に、調湿システムの除湿運転を、図８に基づいて説明する。
【００５２】
この除湿運転では、下部スライドパネル７５を操作して除湿空気流路３０の下部除湿空気吹出開口３１を開き、除湿空気流路３０と連通する供給開口８１を閉じる。一方、加湿空気流路４０の下部加湿空気吹出開口４１を閉じ、加湿空気流路４０と連通する供給開口８２を開く。
【００５３】
また、上部スライドパネル７０を操作して除湿空気流路３０の上部除湿空気吹出開口３２を開き、除湿空気流路３０と連通する排出開口６１を閉じる。一方、加湿空気流路４０の上部加湿空気吹出開口４２を閉じ、加湿空気流路４０と連通する排出開口６２を開き運転する。
【００５４】
これにより、除湿空気流路３０の下部除湿空気取入開口３１から室１内の空気が壁内の除湿空気流路３０に入り、上部除湿空気吹出開口３２から室１内に戻る。一方、加湿空気流路４０の下部加湿空気取入開口４１から室１内の空気が壁内の加湿空気流路４０に入らないで、空気供給ダクト８０から供給される空気が供給開口８１から加湿空気流路４０に入り、排出開口６２から空気排出ダクト６０によって室１外に排出される。
【００５５】
この除湿空気流路３０と加湿空気流路４０を空気が流れるときに、固体高分子電解モジュール２０が除湿空気流路３０の空気中の水素分子をその片側面、すなわち多孔性陽極２３側の除湿側面から反対側面、すなわち多孔性陰極２２側の加湿側面へ移動させて加湿空気流路４０の空気中に送ることで、除湿空気流路３０を通る空気が除湿され、加湿空気流路４０を通る空気が加湿され、加湿された空気は排出開口６２から空気排出ダクト６０によって室１外に排出され、除湿された空気は上部除湿空気吹出開口３２から室１内に戻り、室１内の空気が除湿される。
【００５６】
次に、調湿システムの加湿運転を、図９に基づいて説明する。
【００５７】
この加湿運転では、下部スライドパネル７５を操作して除湿空気流路３０の下部除湿空気吹出開口３１を閉じ、除湿空気流路３０と連通する供給開口８１を開く。一方、加湿空気流路４０の下部加湿空気吹出開口４１を開き、加湿空気流路４０と連通する供給開口８２を閉じる。
【００５８】
また、上部スライドパネル７０を操作して除湿空気流路３０の上部除湿空気吹出開口３２を閉じ、除湿空気流路３０と連通する排出開口６１を開く。一方、加湿空気流路４０の上部加湿空気吹出開口４２を開き、加湿空気流路４０と連通する排出開口６２を閉じて運転する。
【００５９】
これにより、除湿空気流路３０の下部除湿空気取入開口３１から室１内の空気が壁内の除湿空気流路３０に入らないで、空気供給ダクト８０から供給される空気が供給開口８１から除湿空気流路３０に入り、排出開口６１から空気排出ダクト６０によって室１外に排出される。一方、加湿空気流路４０の下部加湿空気取入開口４１から室１内の空気が壁内の加湿空気流路４０に入り、上部加湿空気吹出開口４２から室１内に戻る。
【００６０】
この除湿空気流路３０と加湿空気流路４０を空気が流れるときに、固体高分子電解モジュール２０が除湿空気流路３０の空気中の水素分子をその片側面、すなわち多孔性陽極２３側の除湿側面から反対側面、すなわち多孔性陰極２２側の加湿側面へ移動させて加湿空気流路４０の空気中に送ることで、除湿空気流路３０を通る空気が除湿され、加湿空気流路４０を通る空気が加湿され、除湿された空気は排出開口６１から空気排出ダクト６０によって室１外に排出され、加湿された空気は上部加湿空気吹出開口４２から室１内に戻り、室１内の空気が加湿される。
【００６１】
［第３の実施の形態］
この実施の形態の第２の実施の形態と同じ構成は、同じ符号を付して説明を省略する。図１１は調湿システムの除湿運転の状態を示す概略構成図、図１２は調湿システムの加湿運転の状態を示す概略構成図である。除湿空気流路と加湿空気流路の切替は、図１０に示す構成で行われる。
【００６２】
調湿システムの除湿運転を、図１１に基づいて説明する。
【００６３】
この除湿運転では、下部スライドパネル７５を操作して除湿空気流路３０の下部除湿空気取入開口３１を閉じ、除湿空気流路３０と連通する供給開口８１を開く。一方、加湿空気流路４０の下部加湿空気取入開口４１を開き、加湿空気流路４０と連通する供給開口８２を閉じる。
【００６４】
また、上部スライドパネル７０を操作して除湿空気流路３０の上部除湿空気吹出開口３２を開き、除湿空気流路３０と連通する排出開口６１を閉じる。一方、加湿空気流路４０の上部加湿空気吹出開口４２を閉じ、加湿空気流路４０と連通する排出開口６２を開き運転する。
【００６５】
これにより、除湿空気流路３０の下部除湿空気取入開口３１から室１内の空気が壁内の除湿空気流路３０に入らないで、空気供給ダクト８０から供給される空気が供給開口８１から除湿空気流路３０に入り、上部除湿空気吹出開口３２から室１内に入る。一方、加湿空気流路４０の下部加湿空気取入開口４１から室１内の空気が壁内の加湿空気流路４０に入り、空気供給ダクト８０から供給される空気が供給開口８１から加湿空気流路４０に入らないで、排出開口６２から空気排出ダクト６０によって室１外に排出される。
【００６６】
この除湿空気流路３０と加湿空気流路４０を空気が流れるときに、固体高分子電解モジュール２０が除湿空気流路３０の空気中の水素分子をその片側面、すなわち多孔性陽極２３側の除湿側面から反対側面、すなわち多孔性陰極２２側の加湿側面へ移動させて加湿空気流路４０の空気中に送ることで、除湿空気流路３０を通る空気が除湿され、加湿空気流路４０を通る空気が加湿され、加湿された空気は排出開口６２から空気排出ダクト６０によって室１外に排出され、除湿された空気は上部除湿空気吹出開口３２から室１内に入り、室１内の空気が除湿される。
【００６７】
次に、調湿システムの加湿運転を、図１２に基づいて説明する。
【００６８】
この加湿運転では、下部スライドパネル７５を操作して除湿空気流路３０の下部除湿空気取入開口３１を開き、除湿空気流路３０と連通する供給開口８１を閉じる。一方、加湿空気流路４０の下部加湿空気取入開口４１を閉じ、加湿空気流路４０と連通する供給開口８２を開く。
【００６９】
また、上部スライドパネル７０を操作して除湿空気流路３０の上部除湿空気吹出開口３２を閉じ、除湿空気流路３０と連通する排出開口６１を開く。一方、加湿空気流路４０の上部加湿空気吹出開口４２を開き、加湿空気流路４０と連通する排出開口６２を閉じて運転する。
【００７０】
これにより、除湿空気流路３０の下部除湿空気取入開口３１から室１内の空気が壁内の除湿空気流路３０に入り、空気供給ダクト８０から供給される空気が供給開口８１から除湿空気流路３０に入らないで、排出開口６１から空気排出ダクト６０によって室１外に排出される。一方、加湿空気流路４０の下部加湿空気取入開口４１から室１内の空気が壁内の加湿空気流路４０に入らないで、空気供給ダクト８０から供給される空気が供給開口８２から加湿空気流路４０に入り、上部加湿空気吹出開口４２から室１内に入る。
【００７１】
この除湿空気流路３０と加湿空気流路４０を空気が流れるときに、固体高分子電解モジュール２０が除湿空気流路３０の空気中の水素分子をその片側面、すなわち多孔性陽極２３側の除湿側面から反対側面、すなわち多孔性陰極２２側の加湿側面へ移動させて加湿空気流路４０の空気中に送ることで、除湿空気流路３０を通る空気が除湿され、加湿空気流路４０を通る空気が加湿され、除湿された空気は排出開口６１から空気排出ダクト６０によって室１外に排出され、加湿された空気は上部加湿空気吹出開口４２から室１内に入り、室１内の空気が加湿される。このように、別途の除湿装置あるいは加湿装置を室内に持ち込むことなく、室内の湿度制御をすることができる。また、室内空気を室外に排出することにより換気機能を併せ持つことができる。
【００７２】
この第１の実施の形態乃至第３の実施の形態では、除湿空気流路３０に連通する空気を取入のための開口（下部除湿空気取入開口３１）、加湿空気流路４０に連通する空気を取入のための開口（下部加湿空気取入開口４１）と、除湿空気流路３０に連通する空気を吹出のための開口（上部除湿空気吹出開口３２）、加湿空気流路４０に連通する空気を吹出のための開口（上部加湿空気吹出開口４２）は、壁の片側の室のみに向けて設けられた例で説明したが、例えば部屋間の壁の場合には、壁の両側面（つまり裏表の両面）に空気取入のための開口と空気吹出のための開口を設けることで、壁をはさんだ２室を同時に湿度調整することができる。
【００７３】
［第４の実施の形態］
この実施の形態の第１の実施の形態と同じ構成は、同じ符号を付して説明を省略する。図１３は調湿システムの除湿運転の状態を示す概略構成図、図１４は調湿システムの加湿運転の状態を示す概略構成図である。
【００７４】
この実施の形態の空気流路９０は、室１内に連通する下部空気取入開口９１を有し、壁面材１２，１３の間の全部、あるいは一部に複数個設けられている。空気排出ダクト６０は、空気流路９０と連通する排出開口６５を有する。
【００７５】
固体高分子電解モジュール２０は、空気流路９０と室１内とを区画し、かつ空気流路９０と室１内とに支持軸２５を支点にして反転するように設けられている。この固体高分子電解モジュール２０は、室１の壁面を構成し、空気中の水素分子をその片側面の除湿側面から反対側面の加湿側面へ移動させる。
【００７６】
次に、調湿システムの除湿運転を、図１３に基づいて説明する。
【００７７】
この除湿運転では、固体高分子電解モジュール２０を、室１内の空気中の水素分子を空気流路９０へ移動させるように反転し、すなわち、その片側面の除湿側面を室１側にし、反対側面の加湿側面を空気流路９０側にして運転する。
【００７８】
これにより、空気流路９０の下部空気取入開口９１から室１内の空気が壁内の空気流路９０に入り、排出開口６５を通り、空気排出ダクト６０から室１外に排出される。
【００７９】
この空気流路９０を空気が流れるときに、固体高分子電解モジュール２０が室１内の空気中の水素分子をその片側面、すなわち多孔性陽極２３側の除湿側面から反対側面、すなわち多孔性陰極２２側の加湿側面へ移動させて空気流路９０の空気中に送ることで、室１内の空気が除湿され、空気流路９０を通る空気が加湿され、加湿された空気は排出開口６５から空気排出ダクト６０によって室１外に排出され、室１内の空気が除湿される。
【００８０】
次に、調湿システムの加湿運転を、図１４に基づいて説明する。
【００８１】
この加湿運転では、固体高分子電解モジュール２０を、空気流路９０内の空気中の水素分子を室１内へ移動させるように反転し、すなわち、その片側面の除湿側面を空気流路９０側にし、反対側面の加湿側面を室１側にして運転する。
【００８２】
これにより、空気流路９０の下部空気取入開口９１から室１内の空気が壁内の空気流路９０に入り、排出開口６５から空気排出ダクト６０によって室１外に排出される。
【００８３】
この空気流路９０を空気が流れるときに、固体高分子電解モジュール２０が空気流路９０の空気中の水素分子をその片側面、すなわち多孔性陽極２３側の除湿側面から反対側面、すなわち多孔性陰極２２側の加湿側面へ移動させて室１内の空気中に送ることで、空気流路９０を通る空気が除湿され、室１内の空気が加湿され、除湿された空気は排出開口６５から空気排出ダクト６０によって室１外に排出され、室１内の空気が加湿される。
［第５の実施の形態］
この実施の形態の第１の実施の形態と同じ構成は、同じ符号を付して説明を省略する。図１５は調湿システムの除湿運転の状態を示す概略構成図、図１６は調湿システムの加湿運転の状態を示す概略構成図である。
【００８４】
この実施の形態の空気流路９０は、壁面材１２，１３の間の全部、あるいは一部に複数個設けられている。空気排出ダクト６０は、空気流路９０と連通する排出開口６５を有する。
【００８５】
また、空気供給ダクト８０が設けられ、この空気供給ダクト８０は空気流路９０と連通する供給開口８５を有する。
【００８６】
固体高分子電解モジュール２０は、空気流路９０と室１内とを区画し、かつ空気流路９０と室１内とに支持軸２５を支点にして反転するように設けられている。この固体高分子電解モジュール２０は、室１の壁面を構成し、空気中の水素分子をその片側面の除湿側面から反対側面の加湿側面へ移動させる。
【００８７】
次に、調湿システムの除湿運転を、図１５に基づいて説明する。
【００８８】
この除湿運転では、固体高分子電解モジュール２０を、室１内の空気中の水素分子を空気流路９０へ移動させるように反転し、すなわち、その片側面の除湿側面を室１側にし、反対側面の加湿側面を空気流路９０側にして運転する。
【００８９】
これにより、空気供給ダクト８０の空気供給口８５からの空気が壁内の空気流路９０に入り、上部の排出口６５から室１外に排出される。
【００９０】
この空気流路９０を空気が流れるときに、固体高分子電解モジュール２０が室１内の空気中の水素分子をその片側面、すなわち多孔性陽極２３側の除湿側面から反対側面、すなわち多孔性陰極２２側の加湿側面へ移動させて空気流路９０の空気中に送ることで、室１内の空気が除湿され、空気流路９０を通る空気が加湿される。
【００９１】
次に、調湿システムの加湿運転を、図１６に基づいて説明する。
【００９２】
この加湿運転では、固体高分子電解モジュール２０を、空気流路９０内の空気中の水素分子を室１内へ移動させるように反転し、すなわち、その片側面の除湿側面を空気流路９０側にし、反対側面の加湿側面を室１側にして運転する。
【００９３】
これにより、空気流路９０の下部空気供給口８５からの空気が壁内の空気流路９０に入り、空気流路９０を通る除湿された空気は排出開口６５から空気排出ダクト６０によって室１外に排出される。
【００９４】
この空気流路９０を空気が流れるときに、固体高分子電解モジュール２０が空気流路９０の空気中の水素分子をその片側面、すなわち多孔性陽極２３側の除湿側面から反対側面、すなわち多孔性陰極２２側の加湿側面へ移動させて室１内の空気中に送ることで、空気流路９０を通る空気が除湿され、室１内の空気が加湿され、除湿された空気は排出開口６５から空気排出ダクト６０によって室１外に排出される。
［住戸における調湿建材の配置例］
次に、第１の実施の形態乃至第５の実施の形態が適用される住戸における調湿建材の配置例を、図１７乃至図１９に基づいて説明する。
【００９５】
図１７は夏季など各室が除湿を要する場合の住戸内の固体高分子電解モジュール２０の配置と水蒸気の流れを示す図である。各洋室Ａ，Ｂ、リビングＬＤからの水蒸気１００は各洋室Ａ，Ｂ、リビングＬＤに設けた各固体高分子電解モジュール２０に向かうように流れ、この各固体高分子電解モジュール２０からの水蒸気２００は浴室Ｃから図示しない換気扇などで屋外に排気される。また、リビングＬＤ、和室Ｄからの水蒸気１０１はリビングＬＤ、和室Ｄに設けた各固体高分子電解モジュール２０に向かうように流れ、この各固体高分子電解モジュール２０からの水蒸気２０１は直接外気に排気される。
【００９６】
図１８は冬季など各室が加湿を要する場合の住戸内の固体高分子電解モジュール２０の配置と水蒸気の流れを示す図である。浴室Ｃからの水蒸気１１０は図示しない天井裏、またはダクトなどにより各洋室Ａ，Ｂ、リビングＬＤに設けた各固体高分子電解モジュール２０に向かうように流れ、この各固体高分子電解モジュール２０からの水蒸気２１０は各洋室Ａ，Ｂ、リビングＬＤに流れる。外気からの水蒸気１１１は、リビングＬＤ、和室Ｄに設けた各固体高分子電解モジュール２０に向かうように流れ、この各固体高分子電解モジュール２０からの水蒸気２１１はリビングＬＤ、和室Ｄに流れる。
【００９７】
図１９は中間期など各室が除湿と加湿が混在する場合の住戸内の固体高分子電解モジュール２０の配置と水蒸気の流れを示す図である。リビングＬＤからの水蒸気１２０はリビングＬＤに設けた各固体高分子電解モジュール２０に向かうように流れ、各固体高分子電解モジュール２０からの水蒸気２２０は各洋室Ａ，Ｂに設けた各固体高分子電解モジュール２０に向かうように流れ、この各固体高分子電解モジュール２０から水蒸気２３０が各洋室Ａ，Ｂ内に流れる。また、リビングＬＤ、和室Ｄからの水蒸気３０１は各固体高分子電解モジュール２０に向かうように流れ、各固体高分子電解モジュール２０からの水蒸気３１１は直接外気に排気される。このようにして、リビングＬＤの水蒸気を各洋室Ａ，Ｂに供給し、リビングＬＤは除湿し、各洋室Ａ，Ｂは加湿する。
【産業上の利用可能性】
【００９８】
この発明は、戸建、集合住宅を問わずに適用される調湿システム及び調湿建材に適用可能であり、別途の除湿装置あるいは加湿装置を室内に持ち込むことなく、室内の湿度制御を可能にする。
【図面の簡単な説明】
【００９９】
【図１】調湿システム及び調湿建材を戸建、あるいは集合住宅の室１に適用した実施の形態を示す斜視図である。
【図２】第１の実施の形態の調湿システムの除湿運転の状態を示す概略構成図である。
【図３】第１の実施の形態の調湿システムの加湿運転の状態を示す概略構成図である。
【図４】固体高分子電解モジュールの配置を示す平面図である。
【図５】固体高分子電解モジュールを示す概略構成図である。
【図６】固体高分子電解モジュールの概略配線図である。
【図７】除湿空気流路と加湿空気流路の切替を説明する図である。
【図８】第２の実施の形態の調湿システムの除湿運転の状態を示す概略構成図である。
【図９】第２の実施の形態の調湿システムの加湿運転の状態を示す概略構成図である。
【図１０】除湿空気流路と加湿空気流路の切替を説明する図である。
【図１１】第３の実施の形態の調湿システムの除湿運転の状態を示す概略構成図である。
【図１２】第３の実施の形態の調湿システムの加湿運転の状態を示す概略構成図である。
【図１３】第４の実施の形態の調湿システムの除湿運転の状態を示す概略構成図である。
【図１４】第４の実施の形態の調湿システムの加湿運転の状態を示す概略構成図である。
【図１５】第４の実施の形態の調湿システムの除湿運転の状態を示す概略構成図である。
【図１６】第４の実施の形態の調湿システムの加湿運転の状態を示す概略構成図である。
【図１７】夏季など各室が除湿を要する場合の住戸内の固体高分子電解モジュール２０の配置と水蒸気の流れを示す図である。
【図１８】冬季など各室が加湿を要する場合の住戸内の固体高分子電解モジュール２０の配置と水蒸気の流れを示す図である。
【図１９】中間期など各室が除湿と加湿が混在する場合の住戸内の固体高分子電解モジュール２０の配置と水蒸気の流れを示す図である。
【符号の説明】
【０１００】
１  室
２，３  調湿建材
４  窓
５  天井
６  床
９  壁
１０，１１  間柱
１２，１３  壁面材
１４，１５  横壁面材  
１６  下壁面材
１７  上壁面材
１８  下通路壁面材
１９  上通路壁面材
２０  固体高分子電解モジュール
２１  固体高分子電解質膜
２２  多孔性陰極
２３  多孔性陽極
２４  直流電源
２６  スイッチコントローラ
３０  除湿空気流路
３１  下部除湿空気取入開口
３２  上部除湿空気吹出開口
４０  加湿空気流路
４１  下部加湿空気取入開口
４２  上部加湿空気吹出開口
６０  空気排出ダクト
６１、６２，６５  排出開口
７０  上部スライドパネル
７５  下部スライドパネル
８０  空気供給ダクト
８１，８２、８５  供給開口
９０  空気流路
【図１】
0005158683.tif 000002
【図２】
0005158683.tif 000003
【図３】
0005158683.tif 000004
【図４】
0005158683.tif 000005
【図５】
0005158683.tif 000006
【図６】
0005158683.tif 000007
【図７】
0005158683.tif 000008
【図８】
0005158683.tif 000009
【図９】
0005158683.tif 000010
【図１０】
0005158683.tif 000011
【図１１】
0005158683.tif 000012
【図１２】
0005158683.tif 000013
【図１３】
0005158683.tif 000014
【図１４】
0005158683.tif 000015
【図１５】
0005158683.tif 000016
【図１６】
0005158683.tif 000017
【図１７】
0005158683.tif 000018
【図１８】
0005158683.tif 000019
【図１９】
0005158683.tif 000020